(57)【特許請求の範囲】
【請求項１】
スロットル制御装置であって、
気化器の弁を開き又は閉じるように配置された、スロットル軸に固定される、スロットルレバーと、
前記スロットルレバーの接続点に接続された、第１端部を有する弾性変形可能な管であって、前記接続点が前記スロットルレバーの回転中心から離間しており、中間部分が、所定の距離で前記接続点から離間する、第１固定位置において固定される、管と、
前記管内に摺動可能に収容される、スロットルワイヤであって、第２固定位置において固定される、第１端部を有する、スロットルワイヤであって、前記第２固定位置は、前記管の外側で且つ前記管の前記第１端部から所定の距離で配置され、前記スロットルワイヤが前記管に対して移動するように、第２端部がスロットル制御レバーにより操作されるように配置される、スロットルワイヤと、を具備する、スロットル制御装置において、
前記管は、前記接続点と前記第１固定位置との間に湾曲部を有しており、前記湾曲部の曲率半径は、前記管に対する前記スロットルワイヤの移動により変化する、ことを特徴とするスロットル制御装置。
【請求項２】
前記湾曲部は、絶縁体の吸気通路上に配置されることを特徴とする請求項１に記載のスロットル制御装置。
【請求項３】
前記湾曲部は、絶縁体の吸気通路の下に配置されることを特徴とする請求項１に記載のスロットル制御装置。
【請求項４】
前記湾曲部は、空気清浄器と、ハウジング内に設置されるエンジンのシリンダと、前記エンジンを覆うカバーとの間の空間に配置されることを特徴とする請求項１に記載のスロットル制御装置。
【請求項５】
前記カバーは、取り外し可能な保護カバーであることを特徴とする請求項４に記載のスロットル制御装置。
【請求項６】
前記スロットルワイヤの前記第１端部は、前記吸気通路の一方の側において固定されており、前記管の前記中間部分は、前記吸気通路の反対側において固定される、ことを特徴とする請求項２に記載のスロットル制御装置。
【請求項７】
前記スロットル制御装置は、エンジンの出力が前記スロットルワイヤを介して調整される小型の動力式作業機械に適用されることを特徴とする請求項１〜６のいずれか１項に記載のスロットル制御装置。
【請求項８】
前記小型の動力式作業機械は、携帯型刈払機及び発電機のいずれかであることを特徴とする請求項７に記載のスロットル制御装置。
【請求項９】
前記ハウジングの第１固定位置において固定されて支持される中間部分を有する前記管を介して、前記スロットルワイヤを引っ張る又は緩めるためのスロットル制御レバー（１０）の操作を前記スロットルレバーに伝達し、第１固定位置は規制部材となり、それにより、前記管と前記スロットルワイヤが共に、前記ハウジングの内部に移動することを防止し、前記気化器のスロットル弁の意図しない操作を防止することを特徴とする請求項１〜８のいずれか１項に記載のスロットル制御装置。
【発明の詳細な説明】
【技術分野】
【０００１】
本発明は、気化器のスロットルレバーを回転させるように配置される、スロットルワイヤの意図されない引っ張りを防止するように使用される、スロットル制御装置に関する。スロットル制御装置は、例えば、草又は枝等を切断し更に動力が案内管で囲まれた、伝動軸を介してエンジンから切断刃に伝達される、刈払機等の動力工具に適用されてもよい。
【背景技術】
【０００２】
従来、肩置型刈払機又はバックパック型刈払機等の、携帯型刈払機において、スロットル制御装置が装備される。
【０００３】
スロットル制御装置は、気化器のスロットル軸に接続されたスロットルレバーと、スロットルレバーに接続する末端部を有していてスロットル制御レバーにより操作される、スロットルワイヤと、を具備する。操作者がスロットル制御レバーを操作する（引っ張るか又は緩める）場合に、気化器のスロットル軸は、スロットルワイヤとスロットルレバーを介して操作される。従って、エンジンの燃焼室への空気−燃料吸気量を制御する、気化器のスロットル弁が、開閉されて、エンジンの出力は調整される。
更に、スロットルワイヤを保護するために、スロットルワイヤは、外力が直接的にスロットルワイヤに適用されないように、管等により囲まれる。その様なスロットルワイヤが管内に収容される構成が、ある特許文献に開示されている（例えば、特許文献１〜６参照。）。
【先行技術文献】
【特許文献】
【０００４】
【特許文献１】米国特許第４８７５３８４号明細書
【特許文献２】米国特許第２４８００８３号明細書
【特許文献３】米国特許第４６３３７２４号明細書
【特許文献４】米国特許第６２２３６２２号明細書
【特許文献５】米国特許第３４７２０９６号明細書
【特許文献６】米国特許第２６０２１７９号明細書
【発明の概要】
【発明が解決しようとする課題】
【０００５】
スロットル制御装置において、各特許文献に開示されるように、外力がスロットルワイヤに直接適用されないように、スロットルワイヤは、管内に挿入される。しかし、従来の携帯型刈払機において、スロットル制御レバーからエンジンに延びる、スロットルワイヤのための案内経路は長い。従って、もしスロットルワイヤを保護する、管が経路に沿ってどこかで折り畳まれるか又は外力が管に適用されるならば、スロットルワイヤは、管と共に引っ張られてもよく、それによりスロットルバルブを開き、そのことは、エンジンの意図されない出力変化を結果として生じる可能性がある。
上記のような状況を防ぐために、管は、管の意図されない引っ張りを回避するように、クランクケース等に固定されてもよい。しかし、これは、管を固定するためのダブルナット等の、追加の部材を必要とし、更にこれが順に、費用を増大させ、組み立てにおいて問題を引き起こす。
【０００６】
本発明は、上記に鑑みてなされたものであり、本発明の目的は、追加の部材を設けることなく、スロットルワイヤに適用される外力により引き起こされる、スロットルワイヤの意図されない引っ張りを防止し且つ簡単な構造を有する、スロットル制御装置を提供することである。
【課題を解決するための手段】
【０００７】
本発明の形態に係るスロットル制御装置は、気化器の弁を開き又は閉じるように配置された、スロットル軸に固定される、スロットルレバーと、スロットルレバーの接続点に接続された、第１端部を有する弾性変形可能な管であって、接続点がスロットルレバーの回転中心から離間しており、中間部分が、所定の距離で接続点から離間する、第１固定位置において固定される、管と、管内に摺動可能に収容される、スロットルワイヤであって、第２固定位置において固定される、第１端部を有する、スロットルワイヤであって、第２固定位置は、管の外側で且つ管の第１端部から所定の距離で配置され、スロットルワイヤが管に対して移動するように、第２端部がスロットル制御レバーにより操作されるように配置される、スロットルワイヤと、を具備しており、該スロットル制御装置において、管は、接続点と第１固定位置との間に湾曲部を有しており、湾曲部の曲率半径は、管に対するスロットルワイヤの移動により変化する。
【発明の効果】
【０００８】
例えば、操作者がスロットル操作レバーを押すと、湾曲部の半径が拡がる（その半径が大きくなる）ように、スロットルワイヤが引っ張られ、スロットルワイヤの第１端部の周りに設置される、管の第１端部（自由端）は、第２固定位置に向かう方向において相対的に移動する。従って、スロットルレバーは、一方の方向において（例えば、時計方向において）回転し、気化器のスロットル弁が開かれる。
更に、操作者がスロットル制御レバーを離すと、湾曲部の半径が狭くなる（その半径が小さくなる）ように、スロットルワイヤが緩められ、スロットルワイヤの第１端部の周りに設置される、管の第１端部（自由端）は、第２固定点から離れる方向において相対的に移動する。従って、スロットルレバーが、もう一方の方向において（例えば、反時計回り方向において）回転し、気化器のスロットル弁は閉じられる。
この様にして、管は、スロットルワイヤを引っ張る又は緩めるためのスロットル制御レバーの操作をスロットルレバーに伝達する。従って、例えもし、管全体が引っ張られるように、外力がスロットルワイヤと管（例えば、スロットル制御レバーの近くのグリップの近傍において）に適用されたとしても、第１固定位置において管の中間部分を支持する第１固定位置は、管の移動を規制する。その結果として、スロットルレバーによる気化器のスロットル弁の意図されない操作は、防止される。
更に、本発明の形態において、追加の部材を設置することなく、外力による管及びスロットルワイヤの両方の移動を防止することができる。従って、簡単な構造により、スロットルレバーの意図されない移動を防止することができる。
更に、湾曲部の内側はデッドスペースであるので、湾曲部の下に吸気通路を配置することにより、空間は有効に使用される。
【図面の簡単な説明】
【０００９】
【図１】図１は、本発明の実施の形態に係る携帯型刈払機（動力工具）１の部分的な断面を示す、斜視図である。
【図２】図２は、図１において矢印Ｘの方向から見た、図１の携帯型刈払機１のエンジン４の近傍を示す斜視図である。
【図３】図３は、本発明の実施の形態に係るスロットル制御装置５０の斜視図である。
【図４】図４は、スロットル制御装置５０の操作を説明するための模式図である。
【図５】図５は、スロットル制御装置５０の操作を説明するための模式図である。
【発明を実施するための形態】
【００１０】
本発明の実施の形態は、図１〜５を参照して説明される。図１は、携帯型エンジン駆動式刈払機（動力工具）１を示す、斜視図である。図１及び２に示すように、携帯型刈払機１は、ハウジング２内に設置される、エンジン４と、エンジン４から前方に真っ直ぐ延びる、案内管５と、案内管５の先端部に設置される切断刃８と、を具備する。また、エンジン４の動力は、切断刃８の回転のために、案内管５内に収容される、伝達軸７を介して切断刃８に伝達される。更に、刈払機１の案内用グリップ９は、案内管５に取り付けられる。スロットル制御レバー１０は、グリップ９に設置される。
【００１１】
次に、本発明の実施の形態に係るスロットル制御装置５０は、図２〜５を参照して説明される。図２において、空気清浄器４０は、スロットル制御装置５０がより良く見えるように省略される。
図２及び３に示すように、スロットル制御装置５０は、エンジン４への空気−燃料吸入量を調整するために、気化器３０の内部に設けられた、スロットル弁（図示せず）を回転するように配置される、スロットル軸１１Ａに接続する、スロットルレバー１１を具備する。スロットルレバー１１及びスロットル軸１１Ａは、同じ軸の周りで回転するように配置される。スロットル制御装置５０は、弾性変形可能な管１３を通り延びる、スロットルワイヤ１２を更に具備する。スロットルワイヤ１２の末端は、スロットル制御レバー１０に接続される（図１参照）。使用中に、スロットル制御装置５０は、ハウジング２と共にスロットル制御装置５０を保護する、取り外し可能な保護カバーＣ（図１参照）により覆われる。従って、スロットル制御装置５０は、外側からは見えない。図２及び３は、カバーＣが取り外された場合を示す一方で、図１は、カバーＣが装着された場合を示す。
図４及び５に示すように、管１３の第１端部１３Ａは、スロットルレバー１１の回転中心（スロットル軸）１１Ａから離間する、スロットルレバー１１の１つの端部に設置される、接続点２０に回転可能に接続する。管１３の中間部分１３Ｂは、所定の距離で接続点２０から離間する、ハウジング２上の第１固定位置２１において固定される。
【００１２】
スロットルワイヤ１２は、管１３対して摺動可能である。管１３の第１端部１３Ａから所定の距離にある、スロットルワイヤ１２の第１端部１２Ａは、エンジン４に接続された絶縁体３ａの１つの端部に設置される、第２固定位置２２において固定されており、スロットルワイヤ１２の第２端部１２Ｂは、スロットル制御レバー１０により操作される。従って、スロットルワイヤ１２は、管１３に対して移動する。
更に、接続点２０と第１固定位置２１との間において、管１３の湾曲部Ｗが設けられる。湾曲部Ｗの曲率半径は、スロットルワイヤ１２が管１３に対して移動する際に変化する。
【００１３】
湾曲部Ｗは、図２及び３に示すように、空気清浄器４０と、エンジン４のシリンダ３と、エンジン４を覆う、カバーＣとの間の空間に配置される。また、湾曲部Ｗは、絶縁体３ａからエンジン４の燃焼室（図示せず）に延びる、吸気通路２３上に配置される。スロットルワイヤ１２の第１端部１２Ａは、吸気通路２３の一方の側において、第２固定位置２２に固定されており、管１３の中間部分１３Ｂは、吸気通路２３の反対側において第１固定位置２１に固定される。
更に、スロットルワイヤ１２を内部に有する管１３は、第１固定位置２１を介して通過し、案内管５に沿って延び、更にその後、図１に示すように、スロットル制御レバー１０に到達する。
操作者がスロットル制御レバー１０を操作する（引っ張るか又は緩める）場合に、気化器３０のスロットル軸１１Ａが操作される。従って、気化器３０のスロットル弁は、エンジンの出力を調整するように、開かれるか又は閉じられる。
【００１４】
詳細において、図４に示すように、スロットルワイヤ１２がスロットル制御レバー１０の操作により右方向Ａ１に引っ張られて、湾曲部Ｗの半径が増大する時に、スロットルワイヤ１２の第１端部１２Ａの周りに設置される、第１端部１３Ａ（自由端）は、スロットルワイヤ１２により押されて、図５に示すように、第２固定位置２２に向かう方向において相対的に移動する（矢印Ａ３方向に移動する）。従って、気化器３０のスロットル弁が開かれるように、スロットルレバー１１は、一方向に（時計方向Ａ４において）回転する。
更に、図５に示すように、スロットルワイヤ１２がスロットル制御レバー１０の操作により左方向Ｂに緩められて、湾曲部Ｗの半径が小さくなると、第１端部１３Ａ（自由端部）は、スロットルワイヤ１２により引っ張られ、図４に示すように、第２固定位置２２から離れる方向において相対的に移動する（Ａ３と逆方向において移動する）。従って、スロットルレバー１１は、気化器３０のスロットル弁が閉じられるようにもう一方の方向において（反時計方向において）回転する。
【００１５】
言い換えれば、スロットル制御装置５０において、スロットルワイヤ１２を引っ張るか又は緩めるための、スロットル制御レバー１０の操作は、ハウジング２の第１固定位置２１において固定され且つ支持される、中間部分１３Ｂを有する、管１３を介して、スロットルレバー１１に伝達される。従って、例え管１３全体が、それらが外部に（例えば、スロットル制御レバー１０の近くのグリップ９の近傍において）露出される場所に引っ張られるように、外力がスロットルワイヤ１２と管１３に作用したとしても、中間部分１３を支持する、第１固定位置２１は規制部材となり、それにより、管１３とスロットルワイヤ１２が共に、ハウジング２の内部に移動することを防止する。結果として、気化器３０のスロットル弁の意図しない操作は防止される。
【００１６】
更に、スロットル制御装置５０において、管１３を固定するために追加の部材を新たに取り付けることなく、ハウジング２内において管１３とスロットルワイヤ１２の両方が、外力により移動することを防止可能である。従って、簡単な構造のより、スロットルレバー１１の意図しない操作を防止可能である。
【００１７】
更に、例え湾曲部Ｗが、本実施の形態において、吸気通路２３上に配置されたとしても、配置位置はこれに限定されるものではなく、湾曲部Ｗは、例えば、吸気通路２３の下に設置されてもよい。
【００１８】
更に、上記の実施の形態において示された、部材の移動方向及び回転方向は、図面を見る方向に依存して決定されており、部材の移動方向及び回転方向は、もし見る方向が変更されたならば、変化することは当然である。同様に、例え、気化器のスロットル弁が矢印Ａ１の方向においてスロットルワイヤ１２を引っ張ることにより開かれ、気化器３０のスロットル弁が矢印Ｂの方向においてスロットルワイヤ１２を緩めることにより閉じられることが、本実施の形態において示されているとしても、スロットル弁の開閉方向もまた逆にしてもよい。
【００１９】
更に、スロットル制御装置５０が、携帯型刈払機１に適用されるが、スロットル制御装置５０はまた、エンジン４の出力がスロットルワイヤ１２を介して調整される、発電機等の、小型の動力式作業機械に適用されてもよく、しかしその用途は、上記に限定されるものではない。
【００２０】
上述したように、本発明の実施の形態が図面を参照して詳細に説明されたが、詳細な形態は、上記の実施の形態に限定されるものではなく、本発明の要旨から逸脱しない範囲内において、設計の変更等を含む。
【産業上の利用可能性】
【００２１】
本発明によれば、簡単な構成により、スロットルワイヤの意図しない操作を防止する、スロットル制御装置が提供される。
【符号の説明】
【００２２】
１    携帯型刈払機（動力工具）
２    ハウジング
３    シリンダ
４    エンジン
８    切断刃
１０    スロットル制御レバー
１１    スロットルレバー
１１Ａ    スロットル軸
１２    スロットルワイヤ
１２Ａ    第１端部
１２Ｂ    第２端部
１３Ａ    第１端部
１３Ｂ    中間部分
２０    接続点
２１    第１固定位置
２２    第２固定位置
３０    気化器
４０    空気清浄器
５０    スロットル制御装置
Ｗ    湾曲部
Ｃ    カバー
【図１】
0006006413.tif 000002
【図２】
0006006413.tif 000003
【図３】
0006006413.tif 000004
【図４】
0006006413.tif 000005
【図５】
0006006413.tif 000006